(57)【要約】      （修正有）【課題】緊急時に飲料供給源として庫内に収容した商品を供給することが可能で、かつ、不正行為による盗難を防止可能な自動販売機を提供する。【解決手段】外扉に予め設けた予備部材としてのシリンダー錠付補助ロック装置１０の操作レバー１０１を介して扉ロック装置のスライダ１２を間接的にスライド移動させて扉ロック装置のフック金具から離脱させるスライダ移動手段を設けて緊急時（商用電源停止時）に扉ロック装置が施錠状態であっても外扉を開放して庫内の商品を無料で提供する一方、通常時（通電時）にスライダ移動手段の手動操作によりスライダ１２をスライド移動させようとする不正行為を防止するため、マイクロスイッチ１３がシリンダー錠付補助ロック装置１０（スライダ移動手段）の手動操作を検知すると同時にソレノイド１５を駆動して閂部材１４をスライダ１２に係合させることにより外扉のロック状態を維持する。【選択図】図３
2014006711.tif 000002
【特許請求の範囲】
【請求項１】
前面が開口した本体キャビネットと、当該本体キャビネットの開口を開閉する外扉と、前記外扉の前面に配設した操作ハンドルの操作により当該外扉に設けたスライダをスライド移動させて本体キャビネットに設けたフック金具と係合・離脱させて外扉をロック・アンロックする扉ロック装置を備えた自動販売機において、
前記スライダに係合・離脱可能に配設された閂部材と、当該閂部材を駆動してスライダに係合・離脱させる駆動源と、前記スライダを外扉に設けた開口部から直接若しくは外扉に設けた予備部材を介して間接的に手動操作する態様でスライド移動させてフック金具から離脱させるスライダ移動手段と、前記スライダ移動手段の直接若しくは間接的な手動操作を検知する検知手段とを備え、
前記閂部材は、通常時はスライダから離脱している一方、前記検知手段がスライダ移動手段の直接若しくは間接的な手動操作を検知した際に前記駆動源により駆動されてスライダに係合することを特徴とする自動販売機。
【請求項２】
請求項１に記載の自動販売機において、外扉におけるスライダの近傍に形成された開口部を閉塞する蓋部材を備え、スライダを直接的に手動操作する態様でスライド移動させてフック金具から離脱させるスライダ移動手段は、前記蓋部材を開放したうえで前記開口部を介してスライダを直接操作するように構成されてなり、検知手段は蓋部材の開閉を検知するように構成されてなることを特徴とする自動販売機。
【請求項３】
請求項１に記載の自動販売機において、スライダを間接的に手動操作する態様でスライド移動させてフック金具から離脱させるスライダ移動手段の予備部材は、外扉に設けたシリンダー錠付補助ロック装置であって、キーによりシリンダー錠付補助ロック装置を介して間接的にスライダを操作するように構成されてなり、検知手段はシリンダー錠の回転を検知するように構成されてなることを特徴とする自動販売機。
【請求項４】
請求項３に記載の自動販売機において、シリンダー錠付補助ロック装置はシリンダー錠付補助ロック装置を模したダミーであって、工具により回転操作可能なロータを備えてなることを特徴とする自動販売機。
【請求項５】
請求項１に記載の自動販売機において、駆動源はタイマにより予め定められた時間帯においては閂部材を駆動してスライダに係合させるように構成されていることを特徴とする自動販売機。
【請求項６】
請求項５に記載の自動販売機において、予め定められた時間帯が夜間の時間帯であることを特徴とする自動販売機。
【発明の詳細な説明】
【技術分野】
【０００１】
この発明は、庫内に飲料や食料などの商品を収容し、購入者が代金を投入して希望する商品を選択すると庫内に収容した商品を販売する自動販売機にかかり、特に、震災などの緊急時に自動販売機を飲料供給源として庫内に収容した商品を無料で提供できるようにした自動販売機に関する。
【背景技術】
【０００２】
清涼飲料などを販売する飲料自動販売機は、前面が開放した断熱筐体として形成された本体キャビネットと、本体キャビネットの前面にヒンジにより開閉可能に支持された外扉とからなる。断熱筐体として形成された本体キャビネットの庫内には商品を横倒し状態で収納するとともに下端部に商品搬出装置を有する商品ラックが収設されるとともに、前記商品ラックの下部には商品搬出装置により切り出された商品が滑動ないしは転動する前傾姿勢の商品搬出シュータが配設され、当該商品搬出シュータの下部であって各商品収納室の下端には、当該各商品収納室を冷却もしくは加熱して商品ラックに収納した商品をコールド・ホット状態に保存する冷却／加熱ユニットが配設されている。
【０００３】
前記外扉の前面の上部域は商品見本を展示する透明板で覆われたディスプレイ室として形成され、前記透明板の前面には商品選択ボタンユニットが設けられ、商品選択ボタンユニットには展示された商品見本に対応して設けられた商品選択ボタンを有している。また、外扉２の前面には硬貨投入口、紙幣挿入口、硬貨返却口、返却レバー、商品取出口、ハンドルロックなどが設けられている。前記ハンドルロックは、外扉に装着されるハンドルケースと、このハンドルケースに組み込まれた操作ハンドルと、この操作ハンドルに嵌め込み固定されたシリンダー錠からなる。
【０００４】
前記ハンドルロックの背後における本体キャビネットと外扉との間にはフック金具と上下にスライド移動可能なスライダとからなるロック機構が設けられている。フック金具は本体キャビネットの前面開口端部に前方に突出して設けられる一方、スライダは外扉に上下方向にスライド移動自在に配設されている。前記ハンドルロックの操作ハンドルにはスライダに連結した操作レバーが固着され、操作ハンドルの回転操作により操作レバーを介してスライダをスライド移動させてフック金具に係合・離脱させることにより外扉をロック・アンロックするように構成されている。前記フック金具とスライダとからなるロック機構および前記ハンドルロックにより扉ロック装置を構成している。
【０００５】
かかる構成の自動販売機は、通常時には商用電源からの電力供給を受けて運転・販売制御を行うように構成されており、また、キー操作による扉ロック装置の鎖錠・解錠によって外扉を開閉するように構成されている。
【０００６】
ところで、自動販売機の庫内には缶入り飲料，ペットボトル入り飲料などの清涼飲料（商品）が収容されていることから、震災などの緊急時にこれを飲料供給源として提供すれば自動販売機が緊急時の食品供給拠点として役立つ。ところが、震災などの緊急時にライフラインが停止した場合には自動販売機の運転・販売制御も停止するので庫内の商品を販売に供することができず、また、キーを持ち合わせていなければ扉ロック装置を解錠して外扉を開放することができないので庫内の商品を提供することができない。そこで、商用電源が停止した場合、キーにより扉ロック装置を解錠することなく外扉を開放できるようにした自動販売機が知られている（例えば、特許文献１）。この特許文献１に記載された自動販売機は、スライダに連結されたレバー部材をディスプレイ室に臨む位置に回動自在に設ける一方、ディスプレイ室を構成する透明板のレバー部材の近傍に操作孔を設け、扉ロック装置が施錠された状態（外扉のロック状態）においても前記操作孔の開口を介してレバー部材を回動させることによりスライダを上方にスライド移動させてフック金具との係合を解除するように構成されている。ここで、前記操作孔は透明板に操作孔の周縁に沿って薄肉の溝を形成し、外部から力を加えることにより溝部分を破損させることにより開口するように構成され、通常時は操作孔が塞がれてレバー部材が外部に露出することがないように構成されている。
【先行技術文献】
【特許文献】
【０００７】
【特許文献１】特許第４５７９０４４号公報
【発明の概要】
【発明が解決しようとする課題】
【０００８】
前記特許文献１に記載された自動販売機は、緊急時には操作孔に外力を加えて開口させたうえで当該開口を介してレバー部材を操作することにより、扉ロック装置のハンドルロックが施錠された状態（外扉のロック状態）においてもロック機構のロック状態を解除して外扉を開放させることができる点で優れている。しかしながら、操作孔は自動販売機の中でも目立つ存在であるディスプレイ室に配設され、かつ、外力を加えれば開口させることができることから不正行為により盗難にあうことは否めない。また、操作孔はディスプレイ室の透明板を破損することにより開口されることから復旧には新たな透明板を必要とするという課題を有する。
【０００９】
本発明は上記の点に鑑みなされたものであり、その目的は前記課題を解決し、緊急時に飲料供給源として庫内に収容した商品を供給することが可能で、かつ、不正行為による盗難を防止可能な自動販売機を提供することにある。
【課題を解決するための手段】
【００１０】
上記目的を達成するために請求項１にかかる発明は、前面が開口した本体キャビネットと、前記本体キャビネットの開口を開閉する外扉と、前記外扉の前面に配設した操作ハンドルの操作により当該外扉に設けたスライダをスライド移動させて本体キャビネットに設けたフック金具と係合・離脱させて外扉をロック・アンロックする扉ロック装置を備えた自動販売機において、前記スライダに係合・離脱可能に配設された閂部材と、当該閂部材を駆動してスライダに係合・離脱させる駆動源と、前記スライダを外扉に設けた開口部から直接若しくは外扉に予め設けた予備部材を介して間接的に手動操作する態様でスライド移動させてフック金具から離脱させるスライダ移動手段と、前記スライダ移動手段の直接若しくは間接的な手動操作を検知する検知手段とを備え、前記閂部材は、通常時はスライダから離脱している一方、前記検知手段がスライダ移動手段の直接若しくは間接的な手動操作を検知した際に前記駆動源により駆動されてスライダに係合することを特徴とする。
【００１１】
また、請求項２に係る発明は請求項１に記載の自動販売機において、外扉におけるスライダの近傍に形成された開口部を閉塞するカバー部材を備え、スライダを直接的に手動操作する態様でスライド移動させてフック金具から離脱させるスライダ移動手段は、前記カバー部材を開放したうえで前記開口部を介してスライダを直接操作するように構成されてなり、検知手段はカバー部材の開閉を検知するように構成されてなることを特徴とする。
【００１２】
また、請求項３に係る発明は請求項１に記載の自動販売機において、スライダを間接的に手動操作する態様でスライド移動させてフック金具から離脱させるスライダ移動手段の予備部材は、外扉に設けたシリンダー錠付補助ロック装置であって、キーによりシリンダー錠付補助ロック装置を介して間接的にスライダを操作するように構成されてなり、検知手段はシリンダー錠の回転を検知するように構成されてなることを特徴とする。
【００１３】
また、請求項４に係る発明は請求項３に記載の自動販売機において、シリンダー錠付補助ロック装置は、シリンダー錠付補助ロック装置のシリンダー錠を工具により回転操作可能としたダミー錠、若しくはシリンダー錠付補助ロック装置を模すとともに工具により回転操作可能なロータを備えたダミー錠であることを特徴とする。
【００１４】
また、請求項５に係る発明は請求項１に記載の自動販売機において、駆動源はタイマにより予め定められた時間帯においては閂部材を駆動してスライダに係合させるように構成されていることを特徴とする。
【００１５】
さらに、請求項６に係る発明は請求項５に記載の自動販売機において、予め定められた時間帯が夜間の時間帯であることを特徴とする。
【発明の効果】
【００１６】
本発明の請求項１に係る自動販売機によれば、前面が開口した本体キャビネットと、前記本体キャビネットの開口を開閉する外扉と、前記外扉の前面に配設した操作ハンドルの操作により当該外扉に設けたスライダをスライド移動させて本体キャビネットに設けたフック金具と係合・離脱させて外扉をロック・アンロックする扉ロック装置を備えた自動販売機において、前記スライダに係合・離脱可能に配設された閂部材と、当該閂部材を駆動してスライダに係合・離脱させる駆動源と、前記スライダを外扉に設けた開口部から直接若しくは外扉に予め設けた予備部材を介して間接的に手動操作する態様でスライド移動させてフック金具から離脱させるスライダ移動手段と、前記スライダ移動手段の直接若しくは間接的な手動操作を検知する検知手段とを備え、前記閂部材は、通常時はスライダから離脱している一方、前記検知手段がスライダ移動手段の直接若しくは間接的な手動操作を検知した際に前記駆動源により駆動されてスライダに係合することにより、商用電源が停止した緊急時にはスライダ移動手段の手動操作によりスライダをスライド移動させるフック金具から離脱させることにより、扉ロック装置が施錠状態（外扉がロック状態）であってもスライダ移動手段により外扉を開放して庫内の飲料を提供することができる一方、通常時にスライダ移動手段の手動操作によりスライダをスライド移動させようとする不正行為に対してはスライダ移動手段の手動操作を検知手段が検知すると同時に駆動源が閂部材を駆動してスライダに係合させることにより外扉のロック状態を維持するので不正行為による盗難を防止できる。
【００１７】
また、本発明の請求項２に係る自動販売機によれば、請求項１に記載の自動販売機において、外扉におけるスライダの近傍に形成された開口部を閉塞するカバー部材を備え、スライダを直接的に手動操作する態様でスライド移動させてフック金具から離脱させるスライダ移動手段は、前記カバー部材を開放したうえで前記開口部を介してスライダを直接操作するように構成されてなり、検知手段はカバー部材の開閉を検知するように構成されてなることにより、外扉に開口部を形成するという簡単な構成により直接的にスライダをスライド移動させることができる一方、不正行為により開口部を閉塞するカバー部材が開閉された場合には検知手段により駆動源を起動させて閂部材を駆動してスライダに係合させることができるので不正行為による盗難を防止できる。
【００１８】
また、請求項３に係る自動販売機によれば、請求項１に記載の自動販売機において、スライダを間接的に手動操作する態様でスライド移動させてフック金具から離脱させるスライダ移動手段の予備部材は、外扉に設けたシリンダー錠付補助ロック装置であって、キーによりシリンダー錠付補助ロック装置を介して間接的にスライダを操作するように構成されてなり、検知手段はシリンダー錠の回転を検知するように構成されてなることにより、予備部材としてのシリンダー錠付補助ロック装置をスライダに連係させることにより補助ロック装置のキー操作により間接的にスライダをスライド移動させることができる一方、不正行為により補助ロック装置が操作された場合にはシリンダー錠の回転を検知する検知手段により駆動源を起動させて閂部材を駆動してスライダに係合させることができるので不正行為による盗難を防止できる。この場合、請求項４に係る自動販売機によれば、予備部品として、シリンダー錠付補助ロック装置のシリンダー錠を工具により回転操作可能としたダミー錠、若しくはシリンダー錠付補助ロック装置を模すとともに工具により回転操作可能なロータを備えたダミー錠であることにより、キーを持ち合わせていない場合にも工具によってダミー錠を介してスライダを間接的にスライド移動させることが可能となる。
【００１９】
また、請求項５に係る自動販売機によれば、請求項１に記載の自動販売機において、駆動源はタイマにより予め定められた時間帯においては閂部材を駆動してスライダに係合させるように構成されていることにより、外扉を開放して商品の補充、若しくは保守作業が行われることのない時間帯、特に、夜間の時間帯（請求項６）には駆動源を起動して閂部材をスライダに係合させることによりスライダをロックして扉ロック装置の施錠状態（外扉のロック状態）を維持することができるので防盗性の向上を図ることができる。
【図面の簡単な説明】
【００２０】
【図１】本発明の実施の形態１にかかる自動販売機の正面図である。
【図２】図１の自動販売機の外扉開放状態の斜視図である。
【図３】図１の自動販売機における通常時の扉ロック装置の主要部を背面から見た説明図であり、（ａ）は扉ロック装置の施錠状態（外扉ロック状態）の説明図、（ｂ）は扉ロック装置の解錠状態（外扉アンロック状態）の説明図である。
【図４】図１の自動販売機における緊急時の扉ロック装置の主要部を背面から見た説明図であり、（ａ）はスライダ移動手段の手動操作開始時点の説明図、（ｂ）はスライダ移動手段の手動操作終了時点の説明図である。
【図５】図１の自動販売機に対して不正行為が行われた際の扉ロック装置の主要部を背面から見た説明図であり、（ａ）は不正にスライダ移動手段が操作された時点の説明図、（ｂ）は閂部材がスライダに係合して不正を防止した状態の説明図である。
【図６】本発明の実施の形態２にかかる自動販売機における通常時の扉ロック装置の主要部を背面から見た説明図であり、（ａ）は扉ロック装置の施錠状態（外扉ロック状態）の説明図、（ｂ）は扉ロック装置の解錠状態（外扉アンロック状態）の説明図、（ｃ）および（ｄ）はカバー部材とマイクロスイッチを拡大するとともに動作前後の状態の示した動作説明図である。
【図７】図６の自動販売機における緊急時の扉ロック装置の主要部を背面から見た説明図であり、（ａ）はスライダ移動手段の手動操作開始時点の説明図、（ｂ）はスライダ移動手段の手動操作終了時点の説明図である。
【図８】図６の自動販売機に対して不正行為が行われた際の扉ロック装置の主要部を背面から見た説明図であり、（ａ）はスライダ移動手段が操作された時点の説明図、（ｂ）は閂部材がスライダに係合して悪戯を防止した状態の説明図である。
【発明を実施するための形態】
【００２１】
以下、本発明の実施の形態を図面に基づいて詳細に説明する。
（実施の形態１）
図に示すように、この自動販売機は、前面が開放した断熱筐体として形成された本体キャビネット１と、本体キャビネット１の前面にヒンジにより開閉可能に支持された外扉２とからなる。断熱筐体として形成された本体キャビネット１の庫内には商品を横倒し状態で収納するとともに下端部に商品搬出装置を有する商品ラックが収設されるとともに、前記商品ラックの下部には商品搬出装置により切り出された商品が滑動ないしは転動する前傾姿勢の商品搬出シュータが配設され、当該商品搬出シュータの下部であって各商品収納室の下端には、当該各商品収納室を冷却もしくは加熱して商品ラックに収納した商品をコールド・ホット状態に保存する冷却／加熱ユニットが配設されている。
【００２２】
前記外扉２の前面の上部域は透明板３で覆われ、この透明板３と外扉２に開閉可能に支持された中扉４との間の空間がディスプレイ室５として形成されている。前記中扉４の前面には、本体キャビネット１の庫内に収納した商品に対応した複数の商品見本７を左右に一列に並べて載置したディスプレイ台６が上下方向に３段並べて取付けられている。前記透明板３には、各ディスプレイ台６と対峙する位置に商品選択ボタンユニット８が設けられ、商品選択ボタンユニット８は、ディスプレイ台６に載置された各商品見本７に対応して左右に一列に並べて設けた商品選択ボタン８ａを有している。また、外扉２の前面には、硬貨投入口２１、紙幣挿入口２２、返却レバー２３、表示器２４、硬貨返却口２５、商品取出口２６、ハンドルロック９およびシリンダー錠付補助ロック装置１０などが設けられ、外扉２の背面には硬貨識別装置２７、紙幣識別装置２８などが設けられている。
【００２３】
前記ハンドルロック９の背後における本体キャビネット１と外扉２との間にはフック金具１１（図２参照）と上下にスライド移動可能なスライダ１２（後述する図３参照）とからなるロック機構が設けられている。フック金具１１は本体キャビネット１の前面開口端部に前方に突出して設けられる一方、スライダ１２は外扉２の袋状の扉枠内部に上下方向にスライド移動自在に配設されている。図２ではスライダ１２が袋状扉枠に隠れて見えないが、外扉２を閉じた際にフック金具１１が外扉２の袋状扉枠に開口したスリット穴２ａに進入して前記スライダ１２と係合するように構成されている。本体キャビネット１に設けたフック金具１１に外扉２に設けたスライダ１２を係合・離脱させることにより外扉２をロック・アンロックするように構成されている。前記フック金具１１とスライダ１２とからなるロック機構および前記ハンドルロック９により扉ロック装置を構成している。
【００２４】
前記扉ロック装置の主要部を図３に示す。図３は通常時の扉ロック装置の主要部を背面側から見た説明図であり、（ａ）は扉ロック装置の施錠状態（外扉ロック状態）の説明図、（ｂ）は扉ロック装置の解錠状態（外扉アンロック状態）の説明図である。
【００２５】
図３に示した扉ロック装置を構成するハンドルロック９は、外扉２に装着されるハンドルケース９１と、このハンドルケース９１に組み込まれた操作ハンドル９２と、この操作ハンドル９２の枢軸部に嵌め込み固定されたシリンダー錠９３（図１参照）とを備えている。前記ハンドルケース９１は外扉２の前面に露出する上下方向に長い略楕円状に形成された鍔部９１１と、この鍔部９１１から背面側に突出するとともに鍔部９１１の長軸方向（上下方向）に長い矩形状の胴部９１２とからなり、前記胴部９１２に前後方向に貫通する軸挿通穴を一体に形成した鋳物成形品である。前記鍔部９１１の表面には不図示の操作ハンドル格納用の凹所（窪み）が設けられている。前記胴部９１２の矩形四隅とその上下方向中間部の左右端部にそれぞれタップにより機械加工された取付孔９１３が設けられている。また、前記胴部９１２の軸挿通穴には有底円筒状の内筒（不図示）が回転可能で、かつ、前後方向への移動が不能に装着され、前記内筒の後端部には外周方向（径外方向）に突出するカムを有する回転規制円板（不図示）と操作レバー９４とが取付けられている。前記操作レバー９４は外扉２に上下方向にスライド移動自在に配設されたスライダ１２の係合穴１２１に係合するレバー片９４１を備えている。前記スライダ１２の係合穴１２１はレバー片９４１の幅（図における上下方向の長さ）よりも長く形成され、その上端縁部にレバー片９４１が係合した状態でレバー片９４１よりも下方に延在する態様で形成されている。なお、スライダ１２は横断面コ字状に形成され、コ字状底面１２ａにフック金具１１が進入するロック穴（不図示）が形成され、コ字状脚片１２ｂに係合穴１２１が形成されている。
【００２６】
前記操作ハンドル９２は前記内筒に組み込まれる枢軸部９２２と、この枢軸部９２２から下方に延在するハンドルレバー９２１とを一体に形成した鋳物成形品である。前記枢軸部９２２にはシリンダー錠９３が嵌め込み固定されている。前記枢軸部９２２は前記ハンドルケース９１の軸挿通穴に装着された内筒に相対回転不能で、かつ、前後方向にスライド移動自在に遊嵌され、内筒の背面側に配設したばねにより前方に向けて付勢されている。また、枢軸部９２２には外周面から出没自在で、かつ、外方向（径外方向）に向けてばね付勢された一対の閂（不図示）が設けられている。この閂はシリンダー錠９３のキー溝に挿入されるキーの回転操作により回転するロータを介して没入するように構成されている。前記内筒の後端部に取付けた回転規制円板（図では操作レバー９４に隠れて見えない）のカムがハンドルケース９１の胴部９１２の軸挿通穴縁部に設けたストッパ（不図示）に当接することにより内筒（操作ハンドル９２）の回転範囲が規制されるとともに内筒の前方への移動が規制されている。また、内筒には閂が貫通する穴が形成されている。
【００２７】
前記ハンドルロック９は外扉２に開口したハンドルケース９１の胴部９１２が貫通可能な取付穴を介して外扉２の前面側から装着される。外扉２の背面には、ハンドルケース９１の鍔部９１１が外扉２の板面に当接した状態でハンドルケース９１の胴部９１２に形成した取付孔９１３に対峙する位置にそれぞれねじ挿通孔を備えたハンドルロック取付金具が配設されており、このハンドルロック取付金具を介してハンドルケース９１がねじにより外扉２に固着される。
【００２８】
かかる構成において、前記外扉２のスライダ１２のロック穴を本体キャビネット１のフック金具１１のフックに係合させてロック機構をロックした状態ではハンドルロック９の操作ハンドル９２がハンドルケース９１に押し込まれ、操作ハンドル９２の枢軸部９２２に設けた一対の閂が内筒を介してハンドルケース９１の軸挿通穴内壁に係合し、かつ、前記内筒の背面側に配設されたばねにより前方に向けて押圧付勢されており、シリンダー錠９３の施錠により操作ハンドル９２はハンドルケース９１の格納位置に拘束保持されている。この状態で内筒の後端部に取付けられた操作レバー９４はレバー片９４１がスライダ１２の係合穴１２１の上端縁部に係合している（図３（ａ））。
【００２９】
前記本体キャビネット１のフック金具１１から前記外扉２のスライダ１２を離脱させて外扉２をアンロック状態とする場合、シリンダー錠９３のキー溝にキーを差し込んで時計方向（外扉２を正面から見た場合の回転方向）に回転操作すると、シリンダー錠９３のロータの回転により操作ハンドル９２の枢軸部９２２に設けた一対の閂が操作ハンドル９２の枢軸部９２２に没入してハンドルケース９１との係合作用が解除される。これにより内筒の背面側に配設されたばねによって操作ハンドル９２が前方の突出位置に突出するので、ハンドルケース９１から突出したハンドルレバー９２１に手を掛けて反時計方向に回転操作すると、図３（ｂ）に示すように、操作レバー９４が反時計方向（図３では時計方向）に回転してスライダ１２を上方に向けてスライド移動させる。これによりスライダ１２と本体キャビネット１のフック金具１１との係合が解かれて外扉２がアンロック状態となる。この状態でハンドルレバー９２１を手前に引くと外扉２が開放する。
【００３０】
さて、図１における外扉２に設けたシリンダー錠付補助ロック装置１０が請求項１における予備部材を構成する。このシリンダー錠付補助ロック装置１０は、従来から良く知られているところの、ハンドルロック９とともに外扉２を二重にロックする補助ロック装置に相当するものである。通常、ハンドルロック９とともに外扉２を二重にロックする補助ロック装置は、シリンダー錠の後端に取付けた補助操作レバーと連動して左右方向にスライド移動する閂部材を備え、当該閂部材をシリンダー錠のキー操作によりスライダ１２に係合・離脱するように構成されているが、この実施の形態のシリンダー錠付補助ロック装置１０は、図３に示すように、シリンダー錠の後端に取付けた補助操作レバー１０１がスライダ１２の脚片１２ｂに形成した切欠部１２２に進入するように構成されている。なお、自動販売機は予備部品としての前記補助ロック装置を追加装備可能なように構成、すなわち、外扉２に補助ロック装置のシリンダー錠を取付ける取付穴が形成されており、補助ロック装置を使用しない場合にはシリンダー錠を模したダミー錠を装着したり、盲板により取付穴を塞ぐように構成されている。
【００３１】
図３において、１３はマイクロスイッチであり、前記シリンダー錠付補助ロック装置１０の補助操作レバー１０１の基端部に突設されたカム形状のスイッチ操作片１０２の近傍に配設されている。前記マイクロスイッチ１３は、シリンダー錠付補助ロック装置１０のキー操作により補助操作レバー１０１が反時計方向（図では時計方向）に回動した際にスイッチ操作片１０２によりアクチュエータ１３１が押圧されて動作（オン）するように構成されている。
【００３２】
また、図において１４は閂部材であり、１５はソレノイドである。前記閂部材１４は左右方向にスライド移動自在に配設されるとともに一端（図３では左端）が外扉２の袋状の扉枠に形成したスリット穴（不図示）を介してスライダ１２の係止穴１２３に進入してスライダ１２に係合・離脱する一方、前記閂部材１４の他端にはスライド方向に対して直角に延在する掛止片１４１が形成されるとともにコイルばね３０の一端が係止されている。前記コイルばね３０は引っ張りコイルばねからなり、前記閂部材１４をスライダ１２から離脱する方向に付勢する態様で他端が外扉２の扉枠に係止されている。
【００３３】
前記ソレノイド１５は可動鉄心１５１が閂部材１４のスライド方向に一致する方向に移動する態様で配設されている。前記ソレノイド１５の可動鉄心１５１には索状５０の一端が係止され、前記索状５０は滑車４０に巻きかけたうえでその他端が閂部材１４の掛止片１４１に係止されている。前記ソレノイド１５は通常時には非励磁状態で可動鉄心１５１を釈放した状態にある。そして、ソレノイド１５が非励磁状態の場合には前記閂部材１４がコイルばね３０の付勢力によりスライダ１２から離脱した状態にあるので、索状５０は前記ソレノイド１５の可動鉄心１５１と閂部材１４の掛止片１４１との間に滑車４０を介して張架されるように構成されているものである。
【００３４】
前記ソレノイド１５は前記マイクロスイッチ１３からの動作信号に基づき励磁されて閂部材１４を次のように駆動する。すなわち、閂部材１４はソレノイド１５が駆動されて可動鉄心１５１が吸引されると索状５０を介してコイルばね３０の付勢力に抗して左方向にスライド移動してスライダ１２の係止穴１２３に進入してスライダ１２をロックする。前記マイクロスイッチ１３が請求項１の検知手段を構成し、前記ソレノイド１５が請求項１の駆動源を構成する。
【００３５】
かかる構成において、自動販売機が商用電源からの電力供給を受けて運転・販売制御を実行している通常時において、前記シリンダー錠付補助ロック装置１０の補助操作レバー１０１はスライダ１２の切欠部１２２の上部に位置し、閂部材１４はスライダ１２の係止穴１２３から離脱した状態にある（図３（ａ））。したがって、外扉２を開放するために、図３の（ｂ）に示すように、ハンドルロック９のシリンダー錠９３をキー操作により開錠したうえで操作ハンドル９２を回転操作することにより操作レバー９４を介してスライダ１２を上方へ向けてスライド移動させる際、補助操作レバー１０１はスライダ１２の切欠部１２２に位置して相対移動するので、スライダ１２の上方への移動を妨げることはない。それゆえ、自動販売機が商用電源からの電力供給を受けて運転・販売制御を実行している通常時にはハンドルロック９を操作することにより外扉２を開閉することができる。
【００３６】
一方、震災などにより商用電源が停止した緊急時には、図４に示すように、ハンドルロック９が施錠状態（外扉２のロック状態）においてもシリンダー錠付補助ロック装置１０を手動操作して次のように外扉２を開放して庫内の商品を提供する。すなわち、シリンダー錠付補助ロック装置１０のシリンダー錠にキーを差し込んで回転させると、図４の（ｂ）に示すように、シリンダー錠の後端に取付けた補助操作レバー１０１が反時計方向（図では時計方向）に回動してスライダ１２に形成した切欠部１２２の上端縁部に当接して当該スライダ１２を上方へ向けてスライド移動させる。この場合、施錠状態のハンドルロック９における操作レバー９４のレバー片９４１はスライダ１２の係合穴１２１に進入しているが、前記係合穴１２１がレバー片９４１の幅（図における上下方向の長さ）よりも長く形成されるとともにその上端縁部にレバー片９４１が係合した状態でレバー片９４１よりも下方に延在する態様で形成されているので、スライダ１２が上方へスライド移動すると係合穴１２１内を相対移動する。したがって、レバー片９４１がスライダ１２の係合穴１２１に進入していても、補助操作レバー１０１によりスライダ１２を上方へスライド移動させる際の妨げとなることはない。
【００３７】
そして、図４の（ｂ）に示す位置までスライダ１２を上方にスライド移動させるとフック金具１１（図２）がスライダ１２のロック穴から離脱可能となるので、操作ハンドル９２に手を掛けて手前に引っ張ることにより外扉２が開放する。ここで、震災などの緊急時には商用電源が停止していることから、マイクロスイッチ１３およびソレノイド１５が動作することはなく、閂部材１４はスライダ１２の係止穴１２３から離脱した状態に維持されているので、緊急時には閂部材１４が外扉２の開放を阻止することはない。
【００３８】
このように、シリンダー錠付補助ロック装置１０を予備部品として追加装備しておくことにより、震災などの緊急時にはハンドルロック９が施錠状態（外扉２がロック状態）であってもシリンダー錠付補助ロック装置１０をキー操作により手動操作することによりスライダ１２を間接的にスライド移動させてフック金具１１との係合を解除することができ、自動販売機を飲料供給源として活用することが可能となる。
【００３９】
ところで、通常時にシリンダー錠付補助ロック装置１０が手動操作されると外扉２が開放して金品が盗難されてしまう。この場合、不正なキー操作によりシリンダー錠付ロック装置１０が手動操作されるのに加え、シリンダー錠付補助ロック装置１０におけるシリンダー錠を破壊して操作レバー１０１を回動操作する不正行為がある。このように、不正なキー操作或いはシリンダー錠を破壊することによる不正な操作レバー１０１の回動操作が行われた場合には、図５に示すように、操作レバー１０１の回動初期に操作レバー１０１におけるカム形状のスイッチ操作片１０２がマイクロスイッチ１３のアクチュエータ１３１を押圧して当該マイクロスイッチ１３の接点を切換える（ＯＦＦからＯＮ）。このマイクロスイッチ１３の接点の切換えに基づいてソレノイド１５が励磁されて可動鉄心１５１を吸引する。ソレノイド１５の可動鉄心１５１が吸引されると索状５０を介して閂部材１４がスライダ１２に向けてスライド移動する。これにより、図５の（ｂ）に示すように、閂部材１４がスライダ１２の係止穴１２３に進入してスライダ１２の上方へのスライド移動を阻止するようにロックし、外扉２が不正により開放されるのを防止することが可能となる。
【００４０】
この実施の形態１にかかる自動販売機においては、スライダ１２を外扉２に予め設けた予備部材としてのシリンダー錠付補助ロック装置１０の操作レバー１０１を介して間接的に手動操作（キー操作）する態様でスライド移動させてフック金具１１から離脱させるスライダ移動手段を設けたことにより、緊急時には扉ロック装置が施錠状態（外扉２がロック状態）であってもスライダ移動手段を手動操作して庫内の商品を無料で提供することができる。また、前記スライダ１２に係合・離脱可能に配設された閂部材１４と、当該閂部材１４を駆動してスライダ１２に係合・離脱させる駆動源としてのソレノイド１５と、前記スライダ移動手段の間接的な手動操作を検知する検知手段としてのマイクロスイッチ１３とを備え、前記閂部材１４は、通常時はスライダ１１から離脱している一方、前記検知手段（マイクロスイッチ１３）がスライダ移動手段の間接的な手動操作を検知した際に前記駆動源（ソレノイド１５）により駆動されてスライダ１２に係合することにより、通常時にスライダ移動手段の手動操作によりスライダ１２をスライド移動させようとする不正行為に対してはスライダ移動手段の手動操作を検知手段（マイクロスイッチ１３）が検知すると同時に駆動源（ソレノイド１５）が閂部材１４を駆動してスライダ１２に係合させて外扉２のロック状態を維持するので不正行為による金品の盗難を防止できるという利点を有する。
【００４１】
なお、上記実施の形態１においては、スライダ１２を間接的に手動操作する態様でスライド移動させてフック金具から離脱させる予備部材としてシリンダー錠付補助ロック装置１０を採用した場合について説明したが、予備部材としては次に示すダミーの補助ロック装置を用いることもできる。すなわち、前記シリンダー錠付補助ロック装置１０のシリンダー錠をマイナスドライバー，プラスドライバーなどの工具を用いて操作できるように改造したダミーの補助ロック装置、或いは、シリンダー錠付補助ロック装置１０を模したダミーの補助ロック装置を用意し、シリンダー錠に代えて前記工具により操作可能なロータを組み込むとともにロータの後端に補助操作レバー１０１を取付けたダミーの補助ロック装置を採用することができる。このダミーの補助ロック装置の場合、緊急時にキーを持ち合わせていない場合にも対応可能とすることができるものである。
【００４２】
（実施の形態２）
本発明の実施の形態２に係る自動販売機について図６乃至図８を用いて説明する。なお、図６乃至図８において、図３に示したものと同一のものには同一の符号を付してその説明を省略する。
【００４３】
図６乃至図８に示す実施の形態２の自動販売機が、図３に示した実施の形態１の自動販売機と相違する点について説明すると、実施の形態１にかかるシリンダー錠付補助ロック装置１０を削除したうえでシリンダー錠付補助ロック装置１０の取付穴２０（図６の（ｄ）、図７参照）を閉塞する開閉自在なカバー部材１６を装着し、このカバー部材１６の開閉をマイクロスイッチ１３Ａにより検知するように構成されている点、およびスライダ１２に前記取付穴２０の近傍にまで延在する突起１７が切り起しにより形成されている点である。その他の構成は実施の形態１の自動販売機と同一である。なお、図６乃至図８ではハンドルロック９が保護枠９０により覆われている状態を示しているが、ハンドルロック９の構成は実施の形態１のものと同一である。また、スライダ１２が配設される外扉２の袋状扉枠を取り除いてスライダ１２が露出した状態を示している。
【００４４】
さて、前記取付穴２０（図６の（ｄ）、図７参照）は、実施の形態１のシリンダー錠付補助ロック装置１０を追加装備可能なように予め外扉２に穿孔された開口部であり、補助ロック装置１０を装備しない場合には補助ロック装置１０を模したダミー錠、若しくは盲板が装着されているものであるが、この実施の形態２では補助ロック装置１０を模したダミー錠、若しくは盲板に代えてカバー部材１６を装着し、前記取付穴２０を閉塞するように構成されている。
【００４５】
前記カバー部材１６は、図６の（ｃ），（ｄ）も参照すると分かるように、取付穴２０を閉塞する舌片状に形成され、カバー部材１６の基端側の幅方向（左右方向）両端部にカール状に巻かれた筒部からなる軸受１６ａ，１６ａを備え、また、カバー部材１６の側壁（図では右側の側壁）からクランク状に折り曲げ形成されたスイッチ操作片１６ｂを備えた板金製になる。前記カバー部材１６を回動自在に支持する取付金具１８０は左右端部にカール状に巻かれた筒部からなり、前記カバー部材１６の左右一対の軸部１６ａ，１６ａの外側に位置するように形成された軸受１８０ａ，１８０ａを有し、この軸受１８０ａ，１８０ａに跨って挿通される軸部材（不図示）を支持するように構成されている。なお、この取付金具１８０は前述した補助ロック装置１０を装着するために予め外扉２に固着された錠部品取付金具１８に追加装備されたものである。
【００４６】
前記カバー部材１６の外扉２への組付けは、取付金具１８０の左右一対の軸受１８０ａ，１８０ａの間に軸受１６ａ，１６ａを配置したうえで当該左右一対の軸受１６ａ，１６ａの間にコイルばね１９を配置した状態で、前記左右一対の軸受１８０ａ，１８０ａの一方から軸部材（不図示）を挿通して組付けられる。この場合、コイルばね１９はその一端がカバー部材１６に当接し、かつ、他端が取付金具１８０に当接した状態でカバー部材１６を取付穴２０に向けて付勢する態様で装着される。したがって、カバー部材１６は軸部材により回動自在に軸支されるとともにコイルばね１９により取付穴２０を閉塞する方向に付勢されている。
【００４７】
ここで、前記スイッチ操作片１６ｂが幅を有する平板状に形成され、カバー部材１６が取付穴２０を閉塞した状態（図６の（ｃ）参照）で、スイッチ操作片１６ｂが回動支点（取付金具１８０の軸受１８０ａ，１８０ａに支持された軸部材）よりも上方に位置するとともにスイッチ操作片１６ｂの平板面が鉛直線に沿うように配設されていることから、回動支点からスイッチ操作片１６ｂの下部端縁と上部端縁との距離が異なり、回動支点からスイッチ操作片１６ｂの下部端縁までの距離（例えば、半径ｒ１）に対して上部端縁までの距離（例えば、半径ｒ２）が長い（ｒ１＜ｒ２）。このため、スイッチ操作片１６ｂの下部端縁の回動軌跡よりも外側（径外）に上部端縁の回動軌跡が位置するようになる。
【００４８】
前記カバー部材１６のスイッチ操作片１６ｂに近接して配設されたマイクロスイッチ１３Ａは、図６の（ｃ），（ｄ）に示すように、アクチュエータ１３１Ａの先端にローラ1３２Ａを備え、このローラ１３２Ａがスイッチ操作片１６ｂの回動軌跡に位置するように配設されている。すなわち、マイクロスイッチ１３Ａはアクチュエータ１３１Ａがマイクロスイッチ１３Ａ本体から離隔した状態（アクチュエータ１３１Ａがマイクロスイッチ１３Ａの可動子を押圧していない状態）においてアクチュエータ１３１Ａの先端に取付けたローラ１３２Ａ（図６の（ｄ）参照）がスイッチ操作片１６ｂの上部端縁の回動軌跡上に位置し、かつ、ローラ１３２Ａの中心点を通る鉛直線により二分される半円のうちのマイクロスイッチ１３Ａ本体から離隔する側の半円の円弧がスイッチ操作片１６ｂの上部端縁の回動軌跡と交差する一方、カバー部材１６が取付穴２０を閉塞した状態（図６の（ｃ）参照）でローラ１３２Ａがスイッチ操作片１６ｂの平板面に当接してアクチュエータ１３１Ａがマイクロスイッチ１３Ａの可動子を押圧して接点が切換えられるように取付けられている。つまり、カバー部材１６が取付孔２０を開放した状態で、アクチュエータ１３１Ａがマイクロスイッチ１３Ａ本体から離隔状態からカバー部材１６がコイルばね１９の付勢力によって取付穴２０を閉塞する状態に復帰する過程において、先ず、カバー部材１６のスイッチ操作片１６ｂの上部端縁がローラ１３２Ａに当接したうえでスイッチ操作片１６ｂとローラ１３２Ａの相対移動により前記ローラ１３２Ａがスイッチ操作片１６ｂの平板面に乗り上げるのでアクチュエータ１３１Ａがマイクロスイッチ１３Ａ本体に向けて接近を開始する。この後、スイッチ操作片１６ｂの上部端縁の回動軌跡の半径に対して下部端縁の回動軌跡の半径が小さいことからスイッチ操作片１６ｂの平板面に乗り上げたローラ１３２Ａを介してアクチュエータ１３１Ａがマイクロスイッチ１３Ａ本体に漸次接近する。そして、カバー部材１６が取付穴２０を閉塞した状態に復帰すると、スイッチ操作片１６ｂの平板面に当接したローラ１３２Ａを介してアクチュエータ１３１Ａはマイクロスイッチ１３Ａの可動子を押圧して接点を切換えた状態に拘束される。前記取付穴２０を閉塞したカバー部材１６が押し開かれるとアクチュエータ１３１Ａはマイクロスイッチ１３Ａ本体から離隔してマイクロスイッチ１３Ａの接点が再び切換えられる。なお、この実施の形態ではマイクロスイッチ１３Ａとしてノーマルクローズタイプ（常閉接点形）のマイクロスイッチが用いられている。
【００４９】
かかる構成において、自動販売機が商用電源からの電力供給を受けて運転・販売制御を実行している通常時において、カバー部材１６はコイルばね１９の付勢力により取付穴２０（図７参照）を閉塞した状態にあり（図６の（ａ），（ｂ）参照）、マイクロスイッチ１３Ａは接点が「ＯＦＦ」に切換えられている。これによりソレノイド１５は非励磁状態にあるので閂部材１４もスライダ１２から離脱した状態にある。したがって、通常時においては実施の形態１と同様にハンドルロック９を操作することにより外扉２を開閉することができる。
【００５０】
一方、震災などにより商用電源が停止した緊急時には、図７に示すように、ロックハンドル９が施錠状態（外扉２のロック状態）においても取付穴２０を介してスライダを直接手動操作して次のように外扉２を開放して庫内の商品を提供する。すなわち、図７（ａ）に示すように、外扉２の前面から取付穴２０を閉塞したカバー部材１６を押圧して取付穴２０を開放させると、スライダ１２に形成した突起１７を目の当たりにすることができる。これは、前記突起１７が前記取付穴２０の近傍にまで延在する態様でスライダ１２に切り起しにより形成されているからであり、前記取付穴２０を介して突起１７を目視することができる。そして、カバー部材１６を開けることにより開口した取付穴２０に指若しくは工具を挿入して突起１７を上方へ持ち上げる。これによりスライダ１２が上方へ向けてスライド移動してフック金具１１（図２）と係合した状態から離脱可能となるので、操作ハンドル９２に手を掛けて手前に引っ張れば外扉２を開放することができる。なお、この場合、ハンドルロック９がロック状態であってもスライダ１２を上方にスライド移動させることが可能な点は実施の形態１と同様であり、また、緊急時には商用電源が停止しているので、マイクロスイッチ１３Ａおよびソレノイド１５が動作することはなく、緊急時には閂部材１４が外扉２の開放を阻止することはない。
【００５１】
ところで、通常時にカバー部材１６が開けられて突起１７を上方へ持ち上げるような不正な手動操作が行われると外扉２が開放して金品が盗難されてしまうおそれがある。そこで、このような不正な手動操作が行われた場合には、マイクロスイッチ１３Ａによりソレノイド１５を駆動して閂部材１４によりスライダ１２をロックする。すなわち、図８に示すように、前記カバー部材１６が押し開かれるとマイクロスイッチ１３Ａのアクチュエータ１３１Ａがマイクロスイッチ１３Ａ本体から離隔してその接点が切換えられる。この場合、マイクロスイッチ１３Ａとしてノーマルクローズタイプ（常閉接点形）のマイクロスイッチが用いられているので、通常時にはマイクロスイッチ１３Ａの接点が「ＯＦＦ」状態にあり、カバー部材１６が押し開かれてマイクロスイッチ１３Ａのアクチュエータ１３１Ａがマイクロスイッチ１３Ａ本体から離隔するとマイクロスイッチ１３Ａの接点が「ＯＮ」となるように切換えられる。このマイクロスイッチ１３Ａの接点の切換えに基づいてソレノイド１５が励磁されて可動鉄心１５１を吸引する。ソレノイド１５の可動鉄心１５１が吸引されると索状５０を介して閂部材１４がスライダ１２に向けてスライド移動する。これにより、図８の（ｂ）に示すように、閂部材１４がスライダ１２の係止穴１２３に進入してスライダ１２の上方へのスライド移動を阻止するようにロックし、外扉２が不正により開放されるのを防止することが可能となる。
【００５２】
この実施の形態２にかかる自動販売機においては、スライダ１２を外扉２に設けた開口部（取付穴２０）から直接手動操作する態様でスライド移動させてフック金具１１から離脱させるスライダ移動手段を設けたことにより、緊急時には扉ロック装置が施錠状態（外扉２がロック状態）であってもスライダ移動手段を手動操作して庫内の商品を無料で提供することができる。また、前記スライダ１２に係合・離脱可能に配設された閂部材１４と、当該閂部材１４を駆動してスライダ１２に係合・離脱させる駆動源としてのソレノイド１５と、前記スライダ移動手段により直接スライダ１２を手動操作する行為（すなわち、カバー部材１６の開閉）を検知する検知手段としてのマイクロスイッチ１３Ａとを備え、前記閂部材１４は、常時はスライダ１２から離脱している一方、前記検知手段（マイクロスイッチ１３Ａ）がスライダ移動手段によるスライダ１２の直接の手動操作を検知した際に前記駆動源（ソレノイド１５）により駆動されてスライダ１２に係合することにより、通常時にスライダ移動手段の手動操作によりスライダ１２をスライド移動させようとする不正行為に対してはスライダ移動手段により直接スライダ１２を手動操作する行為を検知手段（マイクロスイッチ１３Ａ）が検知すると同時に駆動源（ソレノイド１５）が閂部材１４を駆動してスライダ１２に係合させて外扉２のロック状態を維持するので不正行為による金品の盗難を防止できるという利点を有する。
【００５３】
（実施の形態３）
上記実施の形態１および２においては、通常時に間接若しくは直接の手動操作によりスライダ１２をスライド移動させようとする不正行為に対しては検知手段（マイクロスイッチ１３，１３Ａ）により駆動源（ソレノイド１５）を駆動して閂部材１４スライダ１２に係合させるように構成されているが、前記駆動源（ソレノイド１５）を次のように制御することもできる。すなわち、自動販売機の制御装置に内蔵されたタイマにより予め定められた時間帯、例えば、外扉を開放して商品の補充，若しくは保守作業が行われることのない時間帯、特に、夜間の時間帯（例えば、午後１０時〜午前６時）に駆動源（ソレノイド１５）を駆動して閂部材１４をスライダ１２に係合させてロックする。これにより、ハンドルロック９を破壊してスライダ１２をスライド移動させて外扉２を開放するような悪戯を防止することができるので防盗性の向上を図ることができる。
【００５４】
なお、前述した実施の形態１，２においては、スライダ１２の直接若しくは間接的な手動操作を検知する検知手段としてマイクロスイッチ１３，１３Ａを用いた例について説明したが、検知手段として光電スイッチを用いることもでき、また、駆動源としてソレノイド１５の他にモータを用いることができるものである。したがって、本発明は実施の形態に限定されるものではない。
【符号の説明】
【００５５】
１…本体キャビネット、２…外扉、９…ハンドルロック、１０…シリンダー錠付補助ロック装置、１１…フック金具、１２…スライダ、１３，１３Ａ…マイクロスイッチ（検知手段）、１４…閂部材、１５…ソレノイド（駆動源）、１６…カバー部材、１６ｂ…スイッチ操作片、１７…突起、２０…取付穴（開口部）、９１…ハンドルケース、９２…操作ハンドル、９３…シリンダー錠、１３１，１３１Ａ…アクチュエータ。
【図１】
2014006711.tif 000003
【図２】
2014006711.tif 000004
【図３】
2014006711.tif 000005
【図４】
2014006711.tif 000006
【図５】
2014006711.tif 000007
【図６】
2014006711.tif 000008
【図７】
2014006711.tif 000009
【図８】
2014006711.tif 000010